(57)【要約】【課題】映像番組と関連コンテンツとを簡単に連携させることができる放送システム、受信装置、サーバ、放送システムのコンテンツ制御方法、受信装置プログラム、サーバプログラム装置を提供する。【解決手段】サーバ１００から映像番組群と関連コンテンツ群と連携制御情報とを、いずれも異なる伝送データとして放送する。受信装置２００では、映像番組群の中から表示する映像番組を選択する。また、受信装置２００では、選択した映像番組と同時に表示する関連コンテンツを関連コンテンツ群の中から選択する。このとき、連携制御情報に基づいて選択を行う。【選択図】図２
2011029972.tif 000002
【特許請求の範囲】
【請求項１】
複数のコンテンツの集合である第１のコンテンツ群を格納する第１のコンテンツ群格納部と、
前記第１のコンテンツ群とは異なる複数のコンテンツの集合である第２のコンテンツ群を格納する第２のコンテンツ群格納部と、
前記第１のコンテンツ群に含まれる各コンテンツと前記第２のコンテンツ群に含まれる各コンテンツとの関係に関する情報を含む連携制御情報を格納する連携制御情報格納部と、
前記第１のコンテンツ群と前記第２のコンテンツ群と前記連携制御情報とをそれぞれ異なる伝送データとして放送する放送送信部と、
を有するサーバと、
前記放送送信部が放送する前記第１のコンテンツ群と前記第２のコンテンツ群と前記連携制御情報とをそれぞれ異なる伝送データとして受信する放送受信部と、
前記第１のコンテンツ群から手動又は自動で第１の選択コンテンツとしてコンテンツを選択する第１のコンテンツ選択部と、
前記連携制御情報に基づいて前記第１の選択コンテンツに関連するコンテンツを前記第２のコンテンツ群から第２の選択コンテンツとして選択する第２のコンテンツ選択部と、
前記第１の選択コンテンツと前記第２の選択コンテンツとを表示部に表示させる表示制御部と、
を有する受信装置と、
を備える放送システム。
【請求項２】
請求項１に記載の放送システムにおいて、
前記第２のコンテンツ選択部は、１つの前記第１の選択コンテンツに対して複数のコンテンツを前記第２の選択コンテンツとして選択すること、
を特徴とする放送システム。
【請求項３】
請求項１又は請求項２に記載の放送システムにおいて、
前記放送送信部及び前記放送受信部は、
前記第１のコンテンツ群を映像のストリームデータとしてそれぞれ送信及び受信し、
前記第２のコンテンツ群を映像及び静止画像の少なくとも一方を含むデータとしてそれぞれ送信及び受信し、
前記連携制御情報を前記第１のコンテンツ群及び前記第２のコンテンツ群とは異なる伝送経路を用いてそれぞれ送信及び受信すること、
を特徴とする放送システム。
【請求項４】
請求項１から請求項３までのいずれか１項に記載の放送システムにおいて、
前記サーバは、前記連携制御情報を生成する連携制御情報生成部を備え、
前記連携制御情報格納部は、前記連携制御情報生成部が生成した前記連携制御情報を格納すること、
を特徴とする放送システム。
【請求項５】
請求項１から請求項４までのいずれか１項に記載の放送システムにおいて、
前記第１のコンテンツ選択部が選択した前記映像番組を識別する情報である映像番組識別情報と放送受信部が受信した連携制御情報とに基づいて前記第２のコンテンツ選択部を制御する関連制御部を備えること、
を特徴とする放送システム。
【請求項６】
複数のコンテンツの集合である第１のコンテンツ群と、前記第１のコンテンツ群とは異なる複数のコンテンツの集合である第２のコンテンツ群と、前記第１のコンテンツ群に含まれる各コンテンツと前記第２のコンテンツ群に含まれる各コンテンツとの関係に関する情報を含む連携制御情報とをそれぞれ異なる伝送データとして受信する放送受信部と、
前記第１のコンテンツ群から手動又は自動で第１の選択コンテンツとしてコンテンツを選択する第１のコンテンツ選択部と、
前記連携制御情報に基づいて前記第１の選択コンテンツに関連するコンテンツを前記第２のコンテンツ群から第２の選択コンテンツとして選択する第２のコンテンツ選択部と、
前記第１の選択コンテンツと前記第２の選択コンテンツとを表示部に表示させる表示制御部と、
を備える受信装置。
【請求項７】
請求項６に記載の受信装置において、
前記第２のコンテンツ選択部は、１つの前記第１の選択コンテンツに対して複数のコンテンツを前記第２の選択コンテンツとして選択すること、
を特徴とする受信装置。
【請求項８】
請求項６又は請求項７に記載の受信装置において、
前記放送受信部は、
前記第１のコンテンツ群を映像のストリームデータとして受信し、
前記第２のコンテンツ群を映像及び静止画像の少なくとも一方を含むデータとして受信し、
前記連携制御情報を前記第１のコンテンツ群及び前記第２のコンテンツ群とは異なる伝送経路を用いて受信すること、
を特徴とする受信装置。
【請求項９】
複数のコンテンツの集合である第１のコンテンツ群を格納する第１のコンテンツ群格納部と、
前記第１のコンテンツ群とは異なる複数のコンテンツの集合である第２のコンテンツ群を格納する第２のコンテンツ群格納部と、
前記第１のコンテンツ群に含まれる各コンテンツと前記第２のコンテンツ群に含まれる各コンテンツとの関係に関する情報を含む連携制御情報を格納する連携制御情報格納部と、
前記第１のコンテンツ群と前記第２のコンテンツ群と前記連携制御情報とをそれぞれ異なる伝送データとして放送する放送送信部と、
を備えるサーバ。
【請求項１０】
請求項９に記載のサーバにおいて、
前記放送送信部は、
前記第１のコンテンツ群を映像のストリームデータとして送信し、
前記第２のコンテンツ群を映像及び静止画像の少なくとも一方を含むデータとして送信し、
前記連携制御情報を前記第１のコンテンツ群及び前記第２のコンテンツ群とは異なる伝送経路を用いて送信すること、
を特徴とするサーバ。
【請求項１１】
請求項９又は請求項１０に記載のサーバにおいて、
前記連携制御情報を生成する連携制御情報生成部を備え、
前記連携制御情報格納部は、前記連携制御情報生成部が生成した前記連携制御情報を格納すること、
を特徴とするサーバ。
【請求項１２】
複数のコンテンツの集合である第１のコンテンツ群を格納する第１のコンテンツ群格納ステップと、
前記第１のコンテンツ群とは異なる複数のコンテンツの集合である第２のコンテンツ群を格納する第２のコンテンツ群格納ステップと、
前記第１のコンテンツ群に含まれる各コンテンツと前記第２のコンテンツ群に含まれる各コンテンツとの関係に関する情報を含む連携制御情報を格納する連携制御情報格納ステップと、
前記第１のコンテンツ群と前記第２のコンテンツ群と前記連携制御情報とをそれぞれ異なる伝送データとして放送する放送送信ステップと、
前記放送送信ステップで放送する前記第１のコンテンツ群と前記第２のコンテンツ群と前記連携制御情報とをそれぞれ異なる伝送データとして受信する放送受信ステップと、
前記第１のコンテンツ群から手動又は自動で第１の選択コンテンツとしてコンテンツを選択する第１のコンテンツ選択ステップと、
前記連携制御情報に基づいて前記第１の選択コンテンツに関連するコンテンツを前記第２のコンテンツ群から第２の選択コンテンツとして選択する第２のコンテンツ選択ステップと、
前記第１の選択コンテンツと前記第２の選択コンテンツとを表示する表示制御ステップと、
を備える放送システムのコンテンツ制御方法。
【請求項１３】
コンピュータに、
複数のコンテンツの集合である第１のコンテンツ群と、前記第１のコンテンツ群とは異なる複数のコンテンツの集合である第２のコンテンツ群と、前記第１のコンテンツ群に含まれる各コンテンツと前記第２のコンテンツ群に含まれる各コンテンツとの関係に関する情報を含む連携制御情報とをそれぞれ異なる伝送データとして受信する放送受信ステップと、
前記第１のコンテンツ群から手動又は自動で第１の選択コンテンツとしてコンテンツを選択する第１のコンテンツ選択ステップと、
前記連携制御情報に基づいて前記第１の選択コンテンツに関連するコンテンツを前記第２のコンテンツ群から第２の選択コンテンツとして選択する第２のコンテンツ選択ステップと、
前記第１の選択コンテンツと前記第２の選択コンテンツとを表示する表示制御ステップと、
を実行させるための受信装置プログラム。
【請求項１４】
コンピュータに、
複数のコンテンツの集合である第１のコンテンツ群を格納する第１のコンテンツ群格納ステップと、
前記第１のコンテンツ群とは異なる複数のコンテンツの集合である第２のコンテンツ群を格納する第２のコンテンツ群格納ステップと、
前記第１のコンテンツ群に含まれる各コンテンツと前記第２のコンテンツ群に含まれる各コンテンツとの関係に関する情報を含む連携制御情報を格納する連携制御情報格納ステップと、
前記第１のコンテンツ群と前記第２のコンテンツ群と前記連携制御情報とをそれぞれ異なる伝送データとして放送する放送送信ステップと、
を実行させるためのサーバプログラム。
【発明の詳細な説明】
【技術分野】
【０００１】
本発明は、多チャンネル、及び、マルチメディアコンテンツを取り扱う放送システム、受信装置、サーバ、放送システムのコンテンツ制御方法、受信装置プログラム、サーバプログラムに関するものである。
【背景技術】
【０００２】
デジタル放送では、ひとつのベアラで複数の番組を編成することが行われている（例えば、非特許文献１）。非特許文献１に記載されているＭＰＥＧ２方式を用いた放送では、複数の番組のパケットを時分割多重化してひとつのトランスポートストリームにまとめて放送する。各番組のパケットにはＰＩＤ（Packet Identifier）が固有の値として与えられる。そして、各番組のＰＩＤ値は、ＰＭＴ（Program Map Table）に示されており、ＰＭＴを有するパケットのＰＩＤ値は、ＰＡＴ（Program Association Table）に示されている。これらＰＭＴ及びＰＡＴは、上述の複数の番組とともにひとつのトランスポートストリームにまとめて放送される。
【０００３】
従来、放送事業者は、例えば、１チャネルで６メガヘルツの放送周波数帯域を用いて、ひとつの放送番組を編成する。視聴者は放送番組に割り当てられた一意のチャンネル番号を指定することにより、ひとつのベアラで放送される番組を容易に選択することができる。
【先行技術文献】
【非特許文献】
【０００４】
【非特許文献１】ＩＳＯ／ＩＥＣ１３８１８−２:Information Technology - Generic coding of moving pictures and associated audio information: Video 1996
【発明の概要】
【発明が解決しようとする課題】
【０００５】
新たな放送サービスとして、例えば、１チャネルで６メガヘルツの放送周波数帯域中（以下、放送帯域）に複数の映像番組を放送するサービスの実施が想定される（以下、多チャンネル放送）。
【０００６】
さらに、映像番組は、放送サービスを提供する事業者とは異なる複数の映像提供事業者により独自に提供される場合が考えられる。
【０００７】
一方、新たな放送サービスとして、映像番組の他に、例えば、ファイル、文字情報、独自プロトコルで規定されたデータ等、様々な形態や形式のコンテンツ（以下、マルチメディアコンテンツ）を取り扱うサービスの実施が想定される（以下、マルチメディア放送）。
【０００８】
さらに、マルチメディアコンテンツは、放送事業者とは異なる複数のコンテンツ提供事業者により独自に提供される場合もあれば、全く異なる事業者により提供されたり、広告事業として利用されたりする場合もあり得る。
【０００９】
多チャンネルマルチメディア放送サービスにおいては、複数ｎ個の映像番組と複数ｍ個のマルチメディアコンテンツが、ひとつの放送事業者によって提供される。
【００１０】
放送事業者は、番組製作者の意図を視聴者にそのままに伝えることが求められている。これを番組の一意性確保という。一方、受信装置においては、番組の一意性を確保するための提示方法として映像番組とマルチメディアコンテンツをひとつの画面に提示するという使用形態が考えられる。
【００１１】
ここで、視聴者がある映像番組を選択したときに、その映像番組とともに関連付けて表示すべきマルチメディアコンテンツ（以下、関連コンテンツ）をどのようにして特定するべきかが問題となる。すなわち、視聴者にその選択をゆだねると、視聴者が混乱するだけでなく、番組の一意性が損なわれる恐れがあった。また、広告表示を行いたいような場合には、視聴者が任意のコンテンツを選択できる仕組みが、十分な広告効果を妨げるおそれがあった。さらに、映像番組が、ひとつの伝送データ（ＭＰＥＧ２のトランスポートストリームに相当）として送られ、映像番組と一意とすべき関連コンテンツが、映像番組とは異なる伝送データとして送られると、従来のＭＰＥＧ２の方法では、映像番組と関連コンテンツとの連携を取ることができなかった。
【００１２】
本発明の課題は、映像番組と関連コンテンツとを簡単に連携させることができる放送システム、受信装置、サーバ、放送システムのコンテンツ制御方法、受信装置プログラム、サーバプログラム装置を提供することである。
【課題を解決するための手段】
【００１３】
本発明は、上記の課題を解決するために、以下の事項を提案している。なお、理解を容易にするために、本発明の実施形態に対応する符号を付して説明するが、これに限定されるものではない。
【００１４】
（１）本発明は、複数のコンテンツの集合である第１のコンテンツ群を格納する第１のコンテンツ群格納部（１０１）と、前記第１のコンテンツ群とは異なる複数のコンテンツの集合である第２のコンテンツ群を格納する第２のコンテンツ群格納部（１０２）と、前記第１のコンテンツ群に含まれる各コンテンツと前記第２のコンテンツ群に含まれる各コンテンツとの関係に関する情報を含む連携制御情報を格納する連携制御情報格納部（１０４）と、前記第１のコンテンツ群と前記第２のコンテンツ群と前記連携制御情報とをそれぞれ異なる伝送データとして放送する放送送信部（１０５）とを有するサーバと、前記放送送信部が放送する前記第１のコンテンツ群と前記第２のコンテンツ群と前記連携制御情報とをそれぞれ異なる伝送データとして受信する放送受信部（２０１）と、前記第１のコンテンツ群から手動又は自動で第１の選択コンテンツとしてコンテンツを選択する第１のコンテンツ選択部（２０２）と、前記連携制御情報に基づいて前記第１の選択コンテンツに関連するコンテンツを前記第２のコンテンツ群から第２の選択コンテンツとして選択する第２のコンテンツ選択部（２０３）と、前記第１の選択コンテンツと前記第２の選択コンテンツとを表示部に表示させる表示制御部（２０５）とを有する受信装置とを備える放送システムを提案している。
【００１５】
この発明によれば、第１のコンテンツ群格納部は、複数のコンテンツの集合である第１のコンテンツ群を格納する。第２のコンテンツ群格納部は、第１のコンテンツ群とは異なる複数のコンテンツの集合である第２のコンテンツ群を格納する。連携制御情報格納部は、第１のコンテンツ群に含まれる各コンテンツと第２のコンテンツ群に含まれる各コンテンツとの関係に関する情報を含む連携制御情報を格納する。放送送信部は、第１のコンテンツ群と第２のコンテンツ群と連携制御情報とをそれぞれ異なる伝送データとして放送する。放送受信部は、放送送信部が放送する第１のコンテンツ群と第２のコンテンツ群と連携制御情報とをそれぞれ異なる伝送データとして受信する。第１のコンテンツ選択部は、第１のコンテンツ群から手動又は自動で第１の選択コンテンツとしてコンテンツを選択する。第２のコンテンツ選択部は、連携制御情報に基づいて第１の選択コンテンツに関連するコンテンツを第２のコンテンツ群から第２の選択コンテンツとして選択する。表示制御部は、第１の選択コンテンツと第２の選択コンテンツとを表示部に表示させる。したがって、映像番組と関連コンテンツとを簡単かつ的確に連携させることができる。また、第１のコンテンツ群の放送と第２のコンテンツ群の放送とを独立した状態で行うことができ、自由度の高い放送システムとすることができる。
【００１６】
（２）本発明は、（１）に記載の放送システムにおいて、前記第２のコンテンツ選択部（２０３）は、１つの前記第１の選択コンテンツに対して複数のコンテンツを前記第２の選択コンテンツとして選択することを特徴とする放送システムを提案している。
【００１７】
この発明によれば、第２のコンテンツ選択部は、１つの第１の選択コンテンツに対して複数のコンテンツを第２の選択コンテンツとして選択する。したがって、より多くの第２のコンテンツを第１の選択コンテンツに連携させることができる。
【００１８】
（３）本発明は、（１）又は（２）に記載の放送システムにおいて、前記放送送信部（１０５）及び前記放送受信部（２０１）は、前記第１のコンテンツ群を映像のストリームデータとしてそれぞれ送信及び受信し、前記第２のコンテンツ群を映像及び静止画像の少なくとも一方を含むデータとしてそれぞれ送信及び受信し、前記連携制御情報を前記第１のコンテンツ群及び前記第２のコンテンツ群とは異なる伝送経路を用いてそれぞれ送信及び受信することを特徴とする放送システムを提案している。
【００１９】
この発明によれば、放送送信部及び放送受信部は、第１のコンテンツ群を映像のストリームデータとしてそれぞれ送信及び受信し、第２のコンテンツ群を映像及び静止画像の少なくとも一方を含むデータとしてそれぞれ送信及び受信し、連携制御情報を第１のコンテンツ群及び第２のコンテンツ群とは異なる伝送経路を用いてそれぞれ送信及び受信する。したがって、連携制御情報内に関連付けを実施する時間的契機を記述（イベント）することにより、異なる時間軸で送信及び受信する第１のコンテンツ群と第２のコンテンツ群の提示を同期させることができる。また、映像等の比較的大きなデータを扱いながらも、連携制御情報を即時に伝達することができる。
【００２０】
（４）本発明は、（１）から（３）までのいずれか１項に記載の放送システムにおいて、前記サーバは、前記連携制御情報を生成する連携制御情報生成部（１０３）を備え、前記連携制御情報格納部（１０４）は、前記連携制御情報生成部が生成した前記連携制御情報を格納することを特徴とする放送システムを提案している。
【００２１】
この発明によれば、サーバは、連携制御情報を生成する連携制御情報生成部を備える。連携制御情報格納部は、連携制御情報生成部が生成した連携制御情報を格納する。したがって、第１のコンテンツ群と第２のコンテンツ群の番組編成を管理するシステムと各々、かつ、直接に接続する連携制御情報生成部により連携制御情報を生成できる。よって、精度の高い連携制御情報を容易に生成することができる。
【００２２】
（５）本発明は、（１）から（４）までのいずれか１項に記載の放送システムにおいて、前記第１のコンテンツ選択部（２０２）が選択した前記映像番組を識別する情報である映像番組識別情報と放送受信部（２０１）が受信した連携制御情報とに基づいて前記第２のコンテンツ選択部（２０３）を制御する関連制御部（２０４）を備えることを特徴とする放送システムを提案している。
【００２３】
この発明によれば、関連制御部は、第１のコンテンツ選択部が選択した映像番組を識別する情報である映像番組識別情報と放送受信部が受信した連携制御情報とに基づいて前記第２のコンテンツ選択部を制御する。したがって、第２のコンテンツ選択部の制御を行う部分を独立して形成することができる。よって、例えば、利用者の年齢、性別、趣味、嗜好等、利用者が設定した利用者設定情報、又は、利用者の利用記録を自動もしくは手動で一定期間蓄積した情報を格納する識別設定情報格納部等をさらに設ければ、その情報をも参照して第２のコンテンツ選択部の制御を行うことができる。
【００２４】
（６）本発明は、複数のコンテンツの集合である第１のコンテンツ群と、前記第１のコンテンツ群とは異なる複数のコンテンツの集合である第２のコンテンツ群と、前記第１のコンテンツ群に含まれる各コンテンツと前記第２のコンテンツ群に含まれる各コンテンツとの関係に関する情報を含む連携制御情報とをそれぞれ異なる伝送データとして受信する放送受信部（２０１）と、前記第１のコンテンツ群から手動又は自動で第１の選択コンテンツとしてコンテンツを選択する第１のコンテンツ選択部（２０２）と、前記連携制御情報に基づいて前記第１の選択コンテンツに関連するコンテンツを前記第２のコンテンツ群から第２の選択コンテンツとして選択する第２のコンテンツ選択部（２０３）と、前記第１の選択コンテンツと前記第２の選択コンテンツとを表示部（２０６）に表示させる表示制御部（２０５）とを備える受信装置を提案している。
【００２５】
この発明によれば、放送受信部は、第１のコンテンツ群と、第２のコンテンツ群と、第１のコンテンツ群に含まれる各コンテンツと第２のコンテンツ群に含まれる各コンテンツとの関係に関する情報を含む連携制御情報とをそれぞれ異なる伝送データとして受信する。第１のコンテンツ選択部は、第１のコンテンツ群から手動又は自動で第１の選択コンテンツとしてコンテンツを選択する。第２のコンテンツ選択部は、連携制御情報に基づいて第１の選択コンテンツに関連するコンテンツを第２のコンテンツ群から第２の選択コンテンツとして選択する。表示制御部は、第１の選択コンテンツと第２の選択コンテンツとを表示部（２０６）に表示させる。したがって、映像番組と関連コンテンツとを簡単かつ的確に連携させることができる。
また、蓄積したコンテンツを取り扱う第２のコンテンツ群については、第１のコンテンツ群と異なる時間軸で受信するため、電波の受信状況が芳しくない状態においても、既に受信、及び、蓄積が完了している第２のコンテンツ群のみでの提示が可能であり、受信電波を選ばない自由度の高い受信装置とすることができる。
さらに、第１のコンテンツ群の放送と第２のコンテンツ群の放送とを独立した状態で受信でき、受信電波を選ばない自由度の高い受信装置とすることができる。
【００２６】
（７）本発明は、（６）に記載の受信装置において、前記第２のコンテンツ選択部（２０３）は、１つの前記第１の選択コンテンツに対して複数のコンテンツを前記第２の選択コンテンツとして選択することを特徴とする受信装置を提案している。
【００２７】
この発明によれば、第２のコンテンツ選択部は、１つの第１の選択コンテンツに対して複数のコンテンツを第２の選択コンテンツとして選択する。したがって、より多くの第２のコンテンツを第１の選択コンテンツに連携させることができる。
【００２８】
（８）本発明は、（６）又は（７）に記載の受信装置において、前記放送受信部（２０１）は、前記第１のコンテンツ群を映像のストリームデータとして受信し、前記第２のコンテンツ群を映像及び静止画像の少なくとも一方を含むデータとして受信し、前記連携制御情報を前記第１のコンテンツ群及び前記第２のコンテンツ群とは異なる伝送経路を用いて受信することを特徴とする受信装置を提案している。
【００２９】
この発明によれば、放送受信部は、第１のコンテンツ群を映像のストリームデータとして受信し、第２のコンテンツ群を映像及び静止画像の少なくとも一方を含むデータとして受信し、連携制御情報を第１のコンテンツ群及び第２のコンテンツ群とは異なる伝送経路を用いて受信する。したがって、連携制御情報内に関連付けを実施する時間的契機を記述（イベント）することにより、異なる時間軸で送信及び受信する第１のコンテンツ群と第２のコンテンツ群の提示を同期させることができる。また、映像等の比較的大きなデータを扱いながらも、連携制御情報を即時に伝達することができる。
【００３０】
（９）本発明は、複数のコンテンツの集合である第１のコンテンツ群を格納する第１のコンテンツ群格納部（１０１）と、前記第１のコンテンツ群とは異なる複数のコンテンツの集合である第２のコンテンツ群を格納する第２のコンテンツ群格納部（１０２）と、前記第１のコンテンツ群に含まれる各コンテンツと前記第２のコンテンツ群に含まれる各コンテンツとの関係に関する情報を含む連携制御情報を格納する連携制御情報格納部（１０４）と、前記第１のコンテンツ群と前記第２のコンテンツ群と前記連携制御情報とをそれぞれ異なる伝送データとして放送する放送送信部（１０５）とを備えるサーバを提案している。
【００３１】
この発明によれば、第１のコンテンツ群格納部は、複数のコンテンツの集合である第１のコンテンツ群を格納する。第２のコンテンツ群格納部は、第１のコンテンツ群とは異なる複数のコンテンツの集合である第２のコンテンツ群を格納する。連携制御情報格納部は、第１のコンテンツ群に含まれる各コンテンツと第２のコンテンツ群に含まれる各コンテンツとの関係に関する情報を含む連携制御情報を格納する。放送送信部は、第１のコンテンツ群と第２のコンテンツ群と連携制御情報とをそれぞれ異なる伝送データとして放送する。したがって、映像番組と関連コンテンツとを簡単かつ的確に連携させることができる放送を、第１のコンテンツ群の放送と第２のコンテンツ群の放送とを全く独立した状態で行うことができる。
【００３２】
（１０）本発明は、（９）に記載のサーバにおいて、前記放送送信部（１０５）は、前記第１のコンテンツ群を映像のストリームデータとして送信し、前記第２のコンテンツ群を映像及び静止画像の少なくとも一方を含むデータとして送信し、前記連携制御情報を前記第１のコンテンツ群及び前記第２のコンテンツ群とは異なる伝送経路を用いて送信することを特徴とするサーバを提案している。
【００３３】
この発明によれば、放送送信部は、第１のコンテンツ群を映像のストリームデータとして送信し、第２のコンテンツ群を映像及び静止画像の少なくとも一方を含むデータとして送信し、連携制御情報を第１のコンテンツ群及び第２のコンテンツ群とは異なる伝送経路を用いて送信する。したがって、連携制御情報内に関連付けを実施する時間的契機を記述（イベント）することにより、異なる時間軸で送信及び受信する第１のコンテンツ群と第２のコンテンツ群の提示を同期させることができる。また、映像等の比較的大きなデータを扱いながらも、連携制御情報を即時に伝達することができる。
【００３４】
（１１）本発明は、（９）又は（１０）に記載のサーバにおいて、前記連携制御情報を生成する連携制御情報生成部（１０３）を備え、前記連携制御情報格納部（１０４）は、前記連携制御情報生成部が生成した前記連携制御情報を格納することを特徴とするサーバを提案している。
【００３５】
この発明によれば、サーバは、連携制御情報を生成する連携制御情報生成部を備える。連携制御情報格納部は、前記連携制御情報生成部が生成した前記連携制御情報を格納する。したがって、第１のコンテンツ群と第２のコンテンツ群の番組編成を管理するシステムと各々、かつ、直接に接続する連携制御情報生成部により連携制御情報を生成できる。よって、精度の高い連携制御情報を容易に生成することができる。
【００３６】
（１２）本発明は、複数のコンテンツの集合である第１のコンテンツ群を格納する第１のコンテンツ群格納ステップ（Ｓ１０）と、前記第１のコンテンツ群とは異なる複数のコンテンツの集合である第２のコンテンツ群を格納する第２のコンテンツ群格納ステップ（Ｓ２０）と、前記第１のコンテンツ群に含まれる各コンテンツと前記第２のコンテンツ群に含まれる各コンテンツとの関係に関する情報を含む連携制御情報を格納する連携制御情報格納ステップ（Ｓ３０）と、前記第１のコンテンツ群と前記第２のコンテンツ群と前記連携制御情報とをそれぞれ異なる伝送データとして放送する放送送信ステップ（Ｓ４０）と、前記放送送信ステップで放送する前記第１のコンテンツ群と前記第２のコンテンツ群と前記連携制御情報とをそれぞれ異なる伝送データとして受信する放送受信ステップ（Ｓ５０）と、前記第１のコンテンツ群から手動又は自動で第１の選択コンテンツとしてコンテンツを選択する第１のコンテンツ選択ステップ（Ｓ６０）と、前記連携制御情報に基づいて前記第１の選択コンテンツに関連するコンテンツを前記第２のコンテンツ群から第２の選択コンテンツとして選択する第２のコンテンツ選択ステップ（Ｓ７０）と、前記第１の選択コンテンツと前記第２の選択コンテンツとを表示する表示制御ステップ（Ｓ８０）とを備える放送システムのコンテンツ制御方法を提案している。
【００３７】
この発明によれば、第１のコンテンツ群格納ステップでは、複数のコンテンツの集合である第１のコンテンツ群を格納する。第２のコンテンツ群格納ステップでは、第１のコンテンツ群とは異なる複数のコンテンツの集合である第２のコンテンツ群を格納する。連携制御情報格納ステップでは、第１のコンテンツ群に含まれる各コンテンツと第２のコンテンツ群に含まれる各コンテンツとの関係に関する情報を含む連携制御情報を格納する。放送送信ステップでは、第１のコンテンツ群と第２のコンテンツ群と連携制御情報とをそれぞれ異なる伝送データとして放送する。放送受信ステップでは、放送送信ステップで放送する第１のコンテンツ群と第２のコンテンツ群と連携制御情報とをそれぞれ異なる伝送データとして受信する。第１のコンテンツ選択ステップでは、第１のコンテンツ群から手動又は自動で第１の選択コンテンツとしてコンテンツを選択する。第２のコンテンツ選択ステップでは、連携制御情報に基づいて第１の選択コンテンツに関連するコンテンツを第２のコンテンツ群から第２の選択コンテンツとして選択する。表示制御ステップでは、第１の選択コンテンツと第２の選択コンテンツとを表示する。したがって、このプログラムを実行する放送システムのコンピュータは、映像番組と関連コンテンツとを簡単かつ的確に連携させることができる。また、第１のコンテンツ群の放送と第２のコンテンツ群の放送とを独立した状態で行うことができ、自由度の高い放送システムを実現できる。
【００３８】
（１３）本発明は、コンピュータに、複数のコンテンツの集合である第１のコンテンツ群と、前記第１のコンテンツ群とは異なる複数のコンテンツの集合である第２のコンテンツ群と、前記第１のコンテンツ群に含まれる各コンテンツと前記第２のコンテンツ群に含まれる各コンテンツとの関係に関する情報を含む連携制御情報とをそれぞれ異なる伝送データとして受信する放送受信ステップ（Ｓ５０）と、前記第１のコンテンツ群から手動又は自動で第１の選択コンテンツとしてコンテンツを選択する第１のコンテンツ選択ステップ（Ｓ６０）と、前記連携制御情報に基づいて前記第１の選択コンテンツに関連するコンテンツを前記第２のコンテンツ群から第２の選択コンテンツとして選択する第２のコンテンツ選択ステップ（Ｓ７０）と、前記第１の選択コンテンツと前記第２の選択コンテンツとを表示する表示制御ステップ（Ｓ８０）とを実行させるための受信装置プログラムを提案している。
【００３９】
この発明によれば、放送受信ステップでは、複数のコンテンツの集合である第１のコンテンツ群と、第１のコンテンツ群とは異なる複数のコンテンツの集合である第２のコンテンツ群と、第１のコンテンツ群に含まれる各コンテンツと第２のコンテンツ群に含まれる各コンテンツとの関係に関する情報を含む連携制御情報とをそれぞれ異なる伝送データとして受信する。第１のコンテンツ選択ステップでは、第１のコンテンツ群から手動又は自動で第１の選択コンテンツとしてコンテンツを選択する。第２のコンテンツ選択ステップでは、連携制御情報に基づいて第１の選択コンテンツに関連するコンテンツを第２のコンテンツ群から第２の選択コンテンツとして選択する。表示制御ステップでは、第１の選択コンテンツと第２の選択コンテンツとを表示する。したがって、このプログラムを実行する受信装置のコンピュータは、映像番組と関連コンテンツとを簡単かつ的確に連携させることができる。また、第１のコンテンツ群の放送と第２のコンテンツ群の放送とを独立した状態で受信でき、受信電波を選ばない自由度の高い受信装置を実現できる。
【００４０】
（１４）本発明は、コンピュータに、複数のコンテンツの集合である第１のコンテンツ群を格納する第１のコンテンツ群格納ステップ（Ｓ１０）と、前記第１のコンテンツ群とは異なる複数のコンテンツの集合である第２のコンテンツ群を格納する第２のコンテンツ群格納ステップ（Ｓ２０）と、前記第１のコンテンツ群に含まれる各コンテンツと前記第２のコンテンツ群に含まれる各コンテンツとの関係に関する情報を含む連携制御情報を格納する連携制御情報格納ステップ（Ｓ３０）と、前記第１のコンテンツ群と前記第２のコンテンツ群と前記連携制御情報とをそれぞれ異なる伝送データとして放送する放送送信ステップ（Ｓ４０）とを実行させるためのサーバプログラムを提案している。
【００４１】
この発明によれば、第１のコンテンツ群格納ステップでは、複数のコンテンツの集合である第１のコンテンツ群を格納する。第２のコンテンツ群格納ステップでは、第１のコンテンツ群とは異なる複数のコンテンツの集合である第２のコンテンツ群を格納する。連携制御情報格納ステップでは、第１のコンテンツ群に含まれる各コンテンツと第２のコンテンツ群に含まれる各コンテンツとの関係に関する情報を含む連携制御情報を格納する。放送送信ステップでは、第１のコンテンツ群と第２のコンテンツ群と連携制御情報とをそれぞれ異なる伝送データとして放送する。したがって、このプログラムを実行するサーバのコンピュータは、映像番組と関連コンテンツとを簡単かつ的確に連携させることができる放送を、第１のコンテンツ群の放送と第２のコンテンツ群の放送とを独立した状態で行うことができる。
【発明の効果】
【００４２】
本発明によれば、映像番組と関連コンテンツとを簡単に連携させることができる。また、第１のコンテンツ群の放送と第２のコンテンツ群の放送とを独立した状態で行うことができ、自由度の高い放送システムとすることができる。
【図面の簡単な説明】
【００４３】
【図１】本発明による放送システムの実施形態の概要を示す図である。
【図２】サーバ１００の構成を示す図である。
【図３】受信装置２００の構成を示す図である。
【図４】連携制御情報の一例を示す図である。
【図５】連携制御情報をＸＭＬ形式により記載した例を示す図である。
【図６】表示部２０６の表示例を示す図である。
【図７】放送システムの動作の流れを示すフローチャートである。
【発明を実施するための形態】
【００４４】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００４５】
（実施形態）
図１は、本発明による放送システムの実施形態の概要を示す図である。
本実施形態の放送システムは、サーバ１００と、受信装置２００とを備えている。
【００４６】
図２は、サーバ１００の構成を示す図である。
なお、図２に示した本実施形態のサーバ１００は、放送局３００内に設置されているが、放送局から離れた場所に設置されていてもよい。
サーバ１００は、映像番組群格納部１０１と、関連コンテンツ群格納部１０２と、連携制御情報生成部１０３と、連携制御情報格納部１０４と、放送送信部１０５とを備えている。
【００４７】
映像番組群格納部（第１のコンテンツ群格納部）１０１は、複数のコンテンツの集合である第１のコンテンツ群としての映像番組群、及び、映像番組群に関連するメタデータ群を格納する。映像番組群、及び、映像番組群に関連するメタデータ群の格納は、放送事業者もしくは、放送番組提供事業者が実施する。
ここで、本実施形態の映像番組としては、例えば、映画番組、ドラマ番組、アニメーション番組、スポーツ番組、ニュース番組等、従来から放送されているテレビジョン番組に相当するものである。
【００４８】
映像番組群格納部１０１は、放送送信部１０５に対し、映像番組群を出力する。また、映像番組群格納部１０１は、連携制御情報生成部１０３に対し、映像番組群に関連するメタデータ群（以下、映像番組メタデータ群）を出力する。
【００４９】
関連コンテンツ群格納部（第２のコンテンツ群格納部）１０２は、映像番組群とは異なる複数のコンテンツの集合である第２のコンテンツ群としての関連コンテンツ群を格納する。
ここで、本実施形態の関連コンテンツとしては、例えば、映像ストリーミング、静止画像ファイル、文字情報等様々な形態が想定される。また、その内容は、映像番組との関連性があってもよいし、無関係のものであってもよい。例えば、映像番組に関連性のある商品等の広告であってもよいし、映像番組との関連性の無い一般的な商品等の広告であってもよい。さらに、広告ではなく、映像番組と同等の番組であってもよい。
【００５０】
関連コンテンツ群格納部１０２は、放送送信部１０５に対し、関連コンテンツ群を出力する。また、関連コンテンツ群格納部１０２は、連携制御情報生成部１０３に対し、関連コンテンツ群に関連するメタデータ群（以下、関連コンテンツメタデータ群）を出力する。
【００５１】
なお、上述した映像番組と関連コンテンツの例は、本実施形態で想定している例を挙げただけであり、いずれもどのような内容のコンテンツであってもよい。
【００５２】
連携制御情報生成部１０３は、映像番組群格納部１０１に格納されている映像番組群と、関連コンテンツ群格納部１０２に格納されている関連コンテンツ群との関係に関する情報を含む連携制御情報を生成する。
【００５３】
映像番組群格納部１０１が出力した映像番組メタデータ群、及び、関連コンテンツ群格納部１０２が出力した関連コンテンツメタデータ群は、連携制御情報生成部１０３に入力され、番組を一意に特定する符号（チャンネルＩＤ）と、番組名と、放送開始時間と、放送時間と、番組種別と、番組区分等を照合し、これらが一致するものを関連コンテンツとして識別する。また、連携制御情報生成部１０３は、映像番組メタデータ群、及び、関連コンテンツメタデータ群について、同様の照合と、識別を行い連携制御情報を生成する。
【００５４】
連携制御情報生成部１０３が生成した連携制御情報の形式は、連携制御情報を１行にカンマ符号’，’で区切り、複数行に列記したＣＳＶ（Comma Separated Values）形式もしくは、ＸＭＬ（Extensible Markup Language）形式などで記述される。
【００５５】
連携制御情報格納部１０４は、連携制御情報生成部１０３が生成した連携制御情報を格納する。
なお、上述の映像番組群格納部１０１と、関連コンテンツ群格納部１０２は、例えば、ＨＤＤ（Hard Disk Drive）装置等で構成される。連携制御情報格納部１０４は、例えば、ＨＤＤ装置もしくは、ＲＤＢＭＳ（Relational Data Base Management System）等で構成される。
【００５６】
放送送信部１０５は、映像番組群と関連コンテンツ群と連携制御情報とをそれぞれ異なる伝送ベアラを用いて放送する。具体的には、映像番組群と関連コンテンツ群とは、ストリームデータとして放送される。ここで、ストリームデータとは、映像データのように時間とともに変化するデータをデータの流れとして捉え、値を変化させながら連続して発生するデータの集合（データ系列）を指している。また、連携制御情報は、ＩＰデータキャスト（ＩＰＤＣ）のデータ形態で放送として放送される。ＩＰデータキャストとは、インターネット・プロトコルのＩＰマルチキャストパケット（送信元ＩＰアドレスを付与し、送信先のＩＰアドレスは指定しない）をサーバから不特定多数の受信機への片方向で情報を一斉配信するものである。
【００５７】
図３は、受信装置２００の構成を示す図である。
本実施形態の受信装置２００は、デジタルテレビジョン放送を受信可能な携帯電話端末である。
本実施形態の受信装置２００は、放送受信部２０１と、番組選択部２０２と、関連コンテンツ選択部２０３と、関連制御部２０４と、表示制御部２０５と、表示部２０６とを備えている。
【００５８】
放送受信部２０１は、サーバ１００の放送送信部１０５が放送する映像番組群と関連コンテンツ群と連携制御情報とをそれぞれ異なる伝送ベアラを介して受信する。また、放送受信部２０１は、受信した映像番組群及び関連コンテンツ群それぞれのストリームデータに多重化された複数の番組を分離し、映像、音声、番組情報等の伸長と復号を行う。
なお、本実施形態の放送システムでは、放送送信部１０５と放送受信部２０１との間は、デジタルテレビジョン放送用の周波数帯域を利用した放送波によって放送を行う。
【００５９】
番組選択部（第１のコンテンツ選択部）２０２は、放送受信部２０１が受信した映像番組群から手動又は自動で選択映像番組（第１の選択コンテンツ）として映像番組（コンテンツ）を選択する。ここで、手動とは、受信装置２００の使用者による選択を指し、自動とは、例えば、予め使用者によって設定されている条件に合致する映像番組を自動的に選択することを指す。番組選択部２０２が選択した映像番組を識別する情報である映像番組識別情報は、関連制御部２０４へ送られる。
【００６０】
関連コンテンツ選択部（第２のコンテンツ選択部）２０３は、放送受信部２０１が受信した関連コンテンツ群から関連制御部２０４の指示により、番組選択部２０２と関連するコンテンツを選択関連コンテンツ（第２の選択コンテンツ）として選択する。
【００６１】
関連制御部２０４は、番組選択部２０２がいずれの映像番組を選択したのかという情報を番組選択部２０２から取得する。また、関連制御部２０４は、放送受信部２０１から連携制御情報を取得する。さらに、関連制御部２０４は、受信機固有の機器識別情報、及び、利用者が設定した利用者設定情報を格納する識別設定情報格納部２０７からの情報を取得する。なお、識別設定情報格納部２０７には、利用者設定情報として、利用者の年齢、性別、趣味、嗜好など利用者が設定されている。また、識別設定情報格納部２０７には、利用者の利用記録も格納されている。これら識別設定情報格納部２０７に格納されている情報は、自動もしくは手動で一定期間蓄積されている。
さらにまた、関連制御部２０４は、映像番組選択部２０２から映像番組識別情報を取得する。そして、関連制御部２０４は、これらの取得した情報に基づいて、関連コンテンツ選択部２０３が選択すべき選択関連コンテンツを複数選択し、その選択した選択関連コンテンツに関する情報を関連コンテンツ選択部２０３へ送る。
なお、本実施形態では、関連コンテンツ選択部２０３と関連制御部２０４とを独立した別の機能ブロックとして説明したが、関連制御部２０４の機能を関連コンテンツ選択部２０３内に包含する形態としてもよい。
【００６２】
図４は、連携制御情報の一例を示す図である。
連携制御情報は、例えば、図４に示すようなテキスト形式のデータとすることができる。
１列目は、番組番号を示しており、映像番組の番組番号１から３までが例示してある。これにより、ひとつのベアラで放送される多チャンネル放送番組は、ひとつの連携制御情報ファイルで記述することもできる。例えば、番組番号１を視聴している場合、１行目から３行目の記述により関連コンテンツ（第２の選択コンテンツ）と照合を行なう。
２列目は、映像番組に連携させる関連コンテンツ群の種類を示しており、Ｂはバナー広告、Ｃはクリップキャスト（短い映像番組）、Ｊは静止画像（ＪＰＥＧ）を示している。例えば、１行目の記述は、番組番号１を視聴している場合、BANNER1.jpgというファイルをバナー広告として関連付け、所定の表示位置に広告を提示する。
３列目から５列目は、それぞれ、放送日時、放送開始時刻、放送終了時刻を示している。例えば、１行目の記述は、番組番号１を視聴している受信時の時刻が２００９年５月２５日１４：００から１５：００の間、BANNER1.jpgというファイルをバナー広告として関連付け、所定の表示位置に広告を提示する。
６列目以降は、映像番組に連携させる複数ｍ個の関連コンテンツ群と関連付けるため、キーワードにより間接参照するための記述である。例えば、５行目の例では、ＭＯＶＩＥというタイトル名のついた複数のクリップキャスト関連コンテンツファイル群を関連付ける。
【００６３】
図５は、連携制御情報をＸＭＬ形式により記載した例を示す図である。
連携制御情報は、例えば、図５に示すようなＸＭＬ形式により記載することができる。
なお、図４に示した連携制御情報は、一例であって、適宜変更することができる。
【００６４】
図３に戻って、表示制御部２０５は、番組選択部２０２により選択された選択映像番組と、関連コンテンツ選択部２０３により選択された選択関連コンテンツとを表示部２０６に表示させる。
表示部２０６は、ＬＣＤ（Liquid Crystal Display）や有機ＥＬ（Organic Electroluminescence）ディスプレイ等で構成され、表示制御部２０５によって表示を制御される。
【００６５】
図６は、表示部２０６の表示例を示す図である。
図６に示す表示例では、表示領域２０６ａに選択した映像番組が表示され、表示領域２０６ｂに選択した映像番組のメタデータ（この場合、放送時間とタイトル）が表示されている。また、表示領域２０６ｃには、関連コンテンツ選択部２０３が選択した関連コンテンツのひとつであるクリップキャストのタイトルが表示され、表示領域２０６ｄには、クリップキャストのタイトルと一致したクリップキャストのサムネール画像が中央、及び、左右に表示されている。なお、表示領域２０６ａ及び表示領域２０６ｄに表示されるコンテンツは一例であり、静止画、動画、文字情報などのマルチメディアコンテンツを提示することができる。さらに、表示領域２０６ｅには、選択関連コンテンツのひとつである広告の静止画像が表示されている。
【００６６】
図７は、放送システムの動作の流れを示すフローチャートである。
ステップ（以下、Ｓとする）１０では、映像番組群格納部１０１は、映像番組群を格納する（第１のコンテンツ群格納ステップ）。
【００６７】
Ｓ２０では、関連コンテンツ群格納部１０２は、関連コンテンツ群を格納する（第２のコンテンツ群格納ステップ）。
Ｓ３０では、連携制御情報生成部１０３が連携制御情報を生成し、連携制御情報格納部１０４は、この連携制御情報を格納する（連携制御情報格納ステップ）。
【００６８】
Ｓ４０では、放送送信部１０５は、映像番組群と関連コンテンツ群と連携制御情報とをそれぞれ異なる伝送データとして放送する（放送送信ステップ）。
Ｓ５０では、放送受信部２０１は、放送送信部１０５が放送する映像番組群と関連コンテンツ群と連携制御情報とをそれぞれ異なる伝送データとして受信する（放送受信ステップ）。
Ｓ６０では、番組選択部２０２は、放送受信部２０１が受信した映像番組群から選択映像番組として映像番組を選択する（第１のコンテンツ選択ステップ）。
【００６９】
Ｓ７０では、関連コンテンツ選択部２０３は、Ｓ６０で選択された選択映像番組に関連する関連コンテンツを、関連コンテンツ群から選択関連コンテンツとして選択する。このとき、関連コンテンツ選択部２０３は、連携制御情報に基づいて、選択関連コンテンツの選択を行う（第２のコンテンツ選択ステップ）。
Ｓ８０では、表示制御部２０５は、選択映像番組と、選択関連コンテンツとを表示部２０６に表示させる（表示制御ステップ）。
【００７０】
以上説明したように、本実施形態によれば、映像番組群及び関連コンテンツ群とともに連携制御情報を放送した。また、この連携制御情報を用いて映像番組と関連コンテンツ群との連携を行った。よって、多数かつ多様なコンテンツが同時に放送される放送システムにおいて、それらの関係を容易に判断でき、選択された映像番組に関連性の高い関連コンテンツを的確に選択して同時に表示できる。
さらに、これら映像番組群と関連コンテンツ群と連携制御情報とは、いずれも異なる伝送データとして放送した。よって、映像番組群の放送と関連コンテンツ群の放送とを独立した状態で行うことができ、自由度の高い放送システムとすることができる。また、仮に全く異なる伝送路によって番組や情報を配信するような場合においても、それらを的確に連携させることができる。
【００７１】
なお、サーバ及び受信装置の処理をコンピュータ読み取り可能な記録媒体に記録し、この記録媒体に記録されたプログラムをサーバ及び受信装置に読み込ませ、実行することによって本発明の放送システム、受信装置、サーバ、放送システムのコンテンツ制御方法を実現することができる。ここでいうコンピュータシステムとは、ＯＳや周辺装置等のハードウェアを含む。
【００７２】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７３】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００７４】
以上、この発明の実施形態につき、図面を参照して詳述してきたが、具体的な構成はこの実施形態に限られるものではなく、この発明の要旨を逸脱しない範囲の設計等も含まれる。
【００７５】
（変形形態）
（１）本実施形態において、連携制御情報を生成する連携制御情報生成部１０３を設けた例を挙げて説明した。しかし、これに限らず、例えば、連携制御情報生成部１０３を設けず、連携制御情報を直接入力して格納するようにしてもよい。
【００７６】
（２）本実施形態において、放送送信部１０５と放送受信部２０１との間は、デジタルテレビジョン放送用の周波数帯域を利用した放送波によって放送を行う例を挙げて説明した。しかし、これに限らず、例えば、連携制御情報を携帯電話サービス用の周波数帯域を用いた通信波によって情報伝達を行ってもよい。
【００７７】
（３）本実施形態において、受信装置２００は、携帯電話端末である例を挙げて説明した。しかし、これに限らず、例えば、本発明の実施に必要な放送受信機能と動作プログラムを備えるノートパソコンや携帯型情報端末、携帯型ゲーム機等であってもよい。
【００７８】
なお、本実施形態及び変形形態は、適宜組み合わせて用いることもできるが、詳細な説明は省略する。
【符号の説明】
【００７９】
１００  サーバ
１０１  映像番組群格納部
１０２  関連コンテンツ群格納部
１０３  連携制御情報生成部
１０４  連携制御情報格納部
１０５  放送送信部
２００  受信装置
２０１  放送受信部
２０２  番組選択部
２０３  関連コンテンツ選択部
２０４  関連制御部
２０５  表示制御部
２０６  表示部
２０７  識別設定情報格納部
３００  放送局
【図１】
2011029972.tif 000003
【図２】
2011029972.tif 000004
【図３】
2011029972.tif 000005
【図４】
2011029972.tif 000006
【図５】
2011029972.tif 000007
【図６】
2011029972.tif 000008
【図７】
2011029972.tif 000009